【手続補正書】
【提出日】平成23年10月27日(2011.10.27)
【手続補正１】
【補正対象書類名】明細書
【補正対象項目名】０２１４
【補正方法】変更
【補正の内容】
【０２１４】
本開示の範囲及び趣旨から逸脱することなく本開示の様々な修正形態及び変更形態が、当業者には、明らかとなろう。また、本開示は、本明細書に記載した例示的な要素に限定されないことが理解されるべきである。本発明の実施態様の一部を以下に列記する。
［１］
微多孔性物品の形成方法であって、前記方法は、
（ａ）半結晶性ポリ乳酸材料、
（ｂ）非ポリマー性脂肪族エステル希釈剤、及び
（ｃ）核剤、
を含む初期組成物を調製する工程と、
前記初期組成物を少なくとも前記半結晶性ポリ乳酸材料の融点まで加熱して溶融ブレンド組成物を形成する工程であって、前記半結晶性ポリ乳酸材料及び非ポリマー性脂肪族エステル希釈剤が単一液相を形成し、前記核剤が前記単一液相に均一に分散される又は溶解される、工程と、
前記溶融ブレンド組成物が、（ａ）半結晶性ポリ乳酸材料マトリックスと、前記半結晶性ポリ乳酸材料マトリックス全体に分散した前記核剤とを含む第一の相、及び（ｂ）前記非ポリマー性脂肪族エステル希釈剤を含む第二の相、を含む２つの連続相を有する組成物に相分離するのに十分な温度に、前記溶融ブレンド組成物を冷却する工程と、
少なくとも一方向での前記組成物の延伸により、前記非ポリマー性脂肪族エステル希釈物の少なくとも一部の除去により、又はそれらの組み合わせにより、相互接続した微小孔の網状組織を形成する工程と、を含む、方法。
［２］
前記相互接続した微小孔の網状組織を形成する工程が、少なくとも一方向での前記組成物の延伸の後に、前記非ポリマー性脂肪族エステル希釈剤の少なくとも一部の除去を含む、［１］に記載の方法。
［３］
前記相互接続した微小孔の網状組織を形成する工程が、前記冷却する工程の後で少なくとも一方向での前記組成物の延伸の前に、前記組成物からの前記非ポリマー性脂肪族エステル希釈剤の少なくとも一部の除去を含む、［１］に記載の方法。
［４］
前記半結晶性ポリ乳酸材料が、ポリ（Ｄ−乳酸）、ポリ（Ｌ−乳酸）、ポリ（Ｄ，Ｌ−乳酸）、Ｄ，Ｌ−乳酸と脂肪族ヒドロキシカルボン酸とのコポリマー、又はそれらの組み合わせを含む、［１］〜［３］のいずれか一つに記載の方法。
［５］
前記非ポリマー性脂肪族エステル希釈剤が次式：
【化１】
2011504945.tif 000001
であり、
式中、
Ｒ１は６〜２４個の炭素原子を有するアシルを含み、
Ｒ２は水素、又は２〜６個の炭素原子を有するアシルを含み、
Ｒ３は水素、又は２〜６個の炭素原子を有するアシルを含む、［１］〜［４］のいずれか一つに記載の方法。
［６］
前記非ポリマー性脂肪族エステル希釈剤が次式：
【化２】
2011504945.tif 000002
であり、
式中、
Ｒ４は６〜２４個の炭素原子を有するアシルを含み、
Ｒ５は水素、又は２〜６個の炭素原子を有するアシルを含み、
Ｒ６は１〜４個の炭素原子を有するアルキルを含む、［１］〜［４］のいずれか一つに記載の方法。
［７］
前記非ポリマー性脂肪族エステル希釈剤が、次式：
【化３】
2011504945.tif 000003
であり、
式中、
Ｒ７は独立して水素、又は１〜８個の炭素原子を有するアルキルを含み、
Ｒ８は２〜５個の炭素原子を有するアシルを含む、［１］〜［４］のいずれか一つに記載の方法。
［８］
前記非ポリマー性脂肪族エステル希釈剤の沸点が、少なくとも前記半結晶性ポリ乳酸材料の融点と等しい、［１］〜［７］のいずれか一つに記載の方法。
［９］
前記非ポリマー性脂肪族エステル希釈剤の初期量の１０質量パーセント未満が、前記プロセスの前記加熱する工程中に失われる、［１］〜［８］のいずれか一つに記載の方法。
［１０］
前記核剤が、銅フタロシアニン、フェニルホスホン酸亜鉛、タルク、粘土、雲母、ポリＬ−乳酸とポリＤ−乳酸とのステレオコンプレックス、イソタクチックポリプロピレン、又はそれらの組み合わせを含む、［１］〜［９］のいずれか一つに記載の方法。
［１１］
前記核剤が、前記半結晶性ポリ乳酸材料の前記融点以上の融点を有する、［１］〜［１０］のいずれか一つに記載の方法。
［１２］
前記初期組成物の前記半結晶性ポリ乳酸材料の濃度が、前記初期組成物の総質量を基準として４０〜８０質量パーセントの範囲内にある、［１］〜［１１］のいずれか一つに記載の方法。
［１３］
前記初期組成物の前記非ポリマー性脂肪族エステル希釈剤の濃度が、前記初期組成物の総質量を基準として２０〜６０質量パーセントの範囲内にある、［１］〜［１１］のいずれか一つに記載の方法。
［１４］
前記初期組成物の前記核剤の濃度が、前記初期組成物の総質量を基準として０．０１〜１０質量パーセントの範囲内にある、［１］〜［１１］のいずれか一つに記載の方法。
［１５］
前記初期組成物の前記半結晶性ポリ乳酸材料の濃度が、前記初期組成物の総質量を基準として４０〜８０質量パーセントの範囲内にあり、前記初期組成物の前記非ポリマー性脂肪族エステル希釈剤の濃度が、前記初期組成物の総質量を基準として２０〜６０質量パーセントの範囲内にあり、前記初期組成物の前記核剤の濃度が、前記初期組成物の総質量を基準として０．０１〜１０質量パーセントの範囲内にある、［１］〜［１１］のいずれか一つに記載の方法。
［１６］
前記延伸が、２方向で行われる、［１］〜［１５］のいずれか一つに記載の方法。
［１７］
前記延伸が、前記組成物の未延伸寸法の１０〜５００パーセントの範囲内で行われる、［１］〜［１６］のいずれか一つに記載の方法。
［１８］
２つの連続相を有する組成物であって、
（ａ）４０〜８０質量パーセントの半結晶性ポリ乳酸材料と、０．０１〜１０質量パーセントの核剤とを含む第一の相であって、前記半結晶性ポリ乳酸材料の前記質量パーセント及び前記核剤の前記質量パーセントは、独立して前記組成物の総質量を基準とする、第一の相、並びに
（ｂ）前記組成物の総質量を基準として２０〜６０質量パーセントの非ポリマー性脂肪族エステル希釈剤を含む、第二の相、を含み、
前記第一の相が少なくとも部分的に前記第二の相により包囲されている、組成物。
［１９］
半結晶性ポリ乳酸材料、核剤、及び場合により非ポリマー性脂肪族エステル希釈剤を含む微多孔性物品であって、前記微多孔性物品が相互接続した微小孔の網状組織を有し、前記微多孔性物品が、多数の離間した球粒半結晶性ポリ乳酸材料ドメインにより特徴付けられ、隣接する半結晶性ポリ乳酸材料ドメインが、ポリ乳酸材料を含む複数のフィブリルにより互いに接続されている、微多孔性物品。
［２０］
前記初期組成物を調製する工程が、抗菌成分を更に含む、［１］に記載の方法。
［２１］
前記抗菌成分が、グリセロール又はプロピレングリコールである、［２０］に記載の方法。
［２２］
前記抗菌成分の濃度が、前記初期組成物の総質量を基準として５質量パーセント以下である、［２０］に記載の方法。
［２３］
前記初期組成物を調製する工程が、賦活剤を更に含む、［２０］に記載の方法。
［２４］
前記賦活剤の濃度が、前記初期組成物の総質量を基準として５質量パーセント以下である、［２３］に記載の方法。
［２５］
半結晶性ポリ乳酸材料、核剤、抗菌成分、及び場合により非ポリマー性脂肪族エステル希釈剤を含む抗菌微多孔性物品であって、前記抗菌微多孔性物品が相互接続した微小孔の網状組織を有し、前記抗菌微多孔性物品が、多数の離間した球粒半結晶性ポリ乳酸材料ドメインにより特徴付けられ、隣接する半結晶性ポリ乳酸材料ドメインが、ポリ乳酸材料を含む複数のフィブリルにより互いに接続されている、抗菌微多孔性物品。
【手続補正２】
【補正対象書類名】特許請求の範囲
【補正対象項目名】全文
【補正方法】変更
【補正の内容】
【特許請求の範囲】
【請求項１】
微多孔性物品の形成方法であって、前記方法は、
（ａ）半結晶性ポリ乳酸材料、
（ｂ）非ポリマー性脂肪族エステル希釈剤、及び
（ｃ）核剤、
を含む初期組成物を調製する工程と、
前記初期組成物を少なくとも前記半結晶性ポリ乳酸材料の融点まで加熱して溶融ブレンド組成物を形成する工程であって、前記半結晶性ポリ乳酸材料及び非ポリマー性脂肪族エステル希釈剤が単一液相を形成し、前記核剤が前記単一液相に均一に分散される又は溶解される、工程と、
前記溶融ブレンド組成物が、（ａ）半結晶性ポリ乳酸材料マトリックスと、前記半結晶性ポリ乳酸材料マトリックス全体に分散した前記核剤とを含む第一の相、及び（ｂ）前記非ポリマー性脂肪族エステル希釈剤を含む第二の相、を含む２つの連続相を有する組成物に相分離するのに十分な温度に、前記溶融ブレンド組成物を冷却する工程と、
少なくとも一方向での前記組成物の延伸により、前記非ポリマー性脂肪族エステル希釈物の少なくとも一部の除去により、又はそれらの組み合わせにより、相互接続した微小孔の網状組織を形成する工程と、を含む、方法。
【請求項２】
半結晶性ポリ乳酸材料、核剤、及び場合により非ポリマー性脂肪族エステル希釈剤を含む微多孔性物品であって、前記微多孔性物品が相互接続した微小孔の網状組織を有し、前記微多孔性物品が、多数の離間した球粒半結晶性ポリ乳酸材料ドメインにより特徴付けられ、隣接する半結晶性ポリ乳酸材料ドメインが、ポリ乳酸材料を含む複数のフィブリルにより互いに接続されている、微多孔性物品。